(57)【要約】      （修正有）【課題】消費者が、農産物、水産物、農産加工物、水産加工物或いは生産物が産地、市場、或いは生産場所から直行できたものであることを容易に知ることができ、商品ラベルと異なり商品に直接添付する工数が省略できる商品包装容器を提供する。【解決手段】商品包装容器１００の側壁部１１２の外表面に商品項目掲載領域１２０が設けられ、表面に商品の産地を記載する欄２０と、該商品の市場を記載する欄２２と、該商品の商品名を記載する欄２４が設けられ、さらに、領域Ａに該商品が市場から直行便で送られた旨の記載がされている。商品包装容器１００の側壁部１１２の外表面にある商品項目掲載領域１２０に、該商品が市場からの直行便で送られた旨の記載がされていることにより、消費者は該商品が市場からの直行便で提供されていることを容易に知ることができる。【選択図】図１
0003145546.tif 000002
【実用新案登録請求の範囲】
【請求項１】
商品を収容するように複数の壁部で囲まれた収容空間を形成する商品包装容器において、
前記複数の壁部のうち少なくともいずれか１つの壁部の外表面の中央部、又は該中央部を囲む八方の領域のいずれか１つの領域に、直行便の旨が記載されている領域を有することを特徴とする商品包装容器。
【請求項２】
前記直行便の旨が記載されている領域を基準として上側の領域、或いは下側の領域、或いは、向かって左側の領域、或いは向かって右側の領域には、前記商品に関連した事項を記載する商品関連事項記載領域が設けられていることを特徴とする請求項１に記載の商品包装容器。
【請求項３】
前記商品関連事項記載領域には、該商品の産地又は商品の生産場所を記載する第１欄、該商品の生産者、又は市場を記載する第２欄、前記商品関連事項記載領域には、該商品の商品名を記載する第３欄を有し、
第１欄、第２欄、及び第３欄のうち、いずれか１つの欄を真ん中にして、他の２つの欄のうち、１つの欄が上に、残りの１つの欄が下に並んで配置されていることを特徴とする請求項２に記載の商品包装容器。
【請求項４】
前記商品関連事項記載領域には、該商品の産地又は商品の生産場所を記載する第１欄、該商品の生産者又は、市場を記載する第２欄、前記商品関連事項記載領域には、該商品の商品名を記載する第３欄を有し、
第１欄、第２欄、及び第３欄のうち、いずれか１つの欄を真ん中にして、他の２つの欄のうち、１つの欄が左に、残りの１つの欄が右に並んで配置されていることを特徴とする請求項２に記載の商品包装容器。
【請求項５】
前記第２欄には、生産者、又は市場のインターネットのホームページのＵＲＬが記載されている事を特徴とする請求項３又は請求項４に記載の商品包装容器。
【請求項６】
前記商品関連事項記載領域には、消費期限及び賞味期限のうちいずれか少なくともいずれか１つが記載されていることを特徴とする請求項２乃至請求項５のうちいずれか１項に記載の商品包装容器。
【請求項７】
前記直行便の旨が記載されている領域を基準として上側の領域、或いは下側の領域、或いは、向かって左側の領域、或いは向かって右側の領域には、前記商品に関連した画像を載せた画像掲載領域が設けられていることを特徴とする請求項１又は請求項２に記載の商品包装容器。
【請求項８】
前記画像掲載領域には、前記商品と関連する産地、取得された場所、又は市場の画像が掲載されていることを特徴とする請求項７に記載の商品包装容器。
【請求項９】
前記画像掲載領域には、前記商品の画像が掲載されていることを特徴とする請求項７に記載の商品包装容器。
【請求項１０】
前記画像掲載領域には、前記商品の生産者又は商品の送り主の画像が掲載されていることを特徴とする請求項７に記載の商品包装容器。
【請求項１１】
前記画像掲載領域には、生産者又は商品の送り主の感謝の言葉又は礼文が掲載されていることを特徴とする請求項１０に記載の商品包装容器。
【請求項１２】
前記直行便の旨が記載されている領域を基準として上側の領域、或いは下側の領域、或いは、向かって左側の領域、或いは向かって右側の領域には、前記商品の生産地に関連した観光名所、風俗、方言、又は習慣を載せた生産地関連事項掲載領域が設けられていることを特徴とする請求項１又は請求項２に記載の商品包装容器。
【請求項１３】
前記直行便の旨が記載されている領域を基準として上側の領域、或いは下側の領域、或いは、向かって左側の領域、或いは向かって右側の領域には、前記商品の生産者に関連したイベント情報、新製品紹介情報、又は生産者広告を載せた送り主関連事項掲載領域が設けられていることを特徴とする請求項１又は請求項２に記載の商品包装容器。
【請求項１４】
前記商品包装容器の壁部が、底部を構成する底壁部と、該底壁部から立設された単数又は複数の側壁部を含み、
前記側壁部の外表面に、直行便の旨が記載されている領域を有することを特徴とする請求項１乃至請求項１３のうちいずれか１項に記載の商品包装容器。
【請求項１５】
前記商品包装容器の壁部が、底部を構成する底壁部と、該底壁部から立設された単数又は複数の側壁部と、該側壁部の上部に連結された天井壁部を含み、
前記天井壁部の外表面に、直行便の旨が記載されている領域を有することを特徴とする請求項１乃至請求項１３のうちいずれか１項に記載の商品包装容器。
【請求項１６】
前記商品包装容器が、一対の側壁部の下部及び両側部を互いに連結した袋状に形成され、
前記側壁部の内、少なくともいずれか一方の側壁部の外表面に、直行便の旨が記載されている領域を有することを特徴とする請求項１乃至請求項１３のうちいずれか１項に記載の商品包装容器。
【考案の詳細な説明】
【技術分野】
【０００１】
本考案は、商品を収容する商品包装容器に関する。
【背景技術】
【０００２】
従来から、農産物や水産物（海産物を含む）の商品を販売する際に、商品又は商品に関する物品に商品ラベルを添付している。従来の農産物や水産物に付される商品ラベルには、一般的には商品名、産地名、さらには販売者名が記載されている。特に、商品包装容器に対して、商品関連印刷事項を付す場合は、商品ラベルと異なり、印刷するだけでよいため、商品ラベルが個別に商品に対して、或いは商品に関する物品に貼着する等の添付作業を行う必要がないことから、手間等の工数が省略できて好ましい。
【考案の開示】
【考案が解決しようとする課題】
【０００３】
しかし、従来、購買する商品が、産地、生産現場等から直送されている場合、直送された旨の記載がなく、農産物、水産物或いは生産物である商品に付される商品ラベルには、産地から、市場、或いは工場から直接送られてきたのかを記していない問題があった。しかし、従来は、商品が、産地、市場、或いは生産場所から直接来たのかを知る手段がないため、その旨を販売者に尋ねたりする必要があり、煩わしさがある問題がある。
【０００４】
又、消費者にとって、産地等から届けられる商品は、流通段階で間に介在する業者が少ないほど、この商品が、生産現場から直に届けられた商品であり、途中に介在する業者が少なく、農産物、水産物であれば、新鮮であることが期待でき、生産物であれば、流通コストがかかっていない商品であることが期待できる。
【０００５】
又、商品ラベルは、個別に商品に対して、或いは商品に関する物品に貼着する等の添付作業を行う必要があるため、大量に商品がある場合には、個別に商品ラベルを貼着する作業が必要となり、工数が増え、手間が掛かる問題があり、コスト高となる問題がある。  本考案の目的は、消費者が農産物、水産物、農産加工物、水産加工物或いは生産物が産地、市場、或いは生産場所から直行できたものを容易に知ることができ、商品ラベルと異なり商品に直接添付する工数が省略できる商品包装容器を提供することにある。
【課題を解決するための手段】
【０００６】
上記問題点を解決するために請求項１の考案は、商品を収容するように複数の壁部で囲まれた収容空間を形成する商品包装容器において、前記複数の壁部のうち少なくともいずれか１つの壁部の外表面の中央部、又は該中央部を囲む八方の領域のいずれか１つの領域に、直行便の旨が記載されている領域を有することを特徴とする商品包装容器を要旨とするものである。
【０００７】
請求項２の考案は、請求項１において、前記直行便の旨が記載されている領域を基準として上側の領域、或いは下側の領域、或いは、向かって左側の領域、或いは向かって右側の領域には、前記商品に関連した事項を記載する商品関連事項記載領域が設けられていることを特徴とする。
【０００８】
なお、本明細書において、直行便の旨が記載されている領域を基準として上側の領域、或いは下側の領域における「上」、「下」とは、直行便の旨が記載された文字を読み取ることができる場合を基準として上下を決定するものとする。又、「左」、「右」とは、前記上下の位置関係が定まった状態において、外表面と対面して見た場合を基準として、「左」及び「右」を決定するものとする。
【０００９】
請求項３の考案は、請求項２において、前記商品関連事項記載領域には、該商品の産地又は商品の生産場所を記載する第１欄、該商品の生産者、又は市場を記載する第２欄、前記商品関連事項記載領域には、該商品の商品名を記載する第３欄を有し、第１欄、第２欄、及び第３欄のうち、いずれか１つの欄を真ん中にして、他の２つの欄のうち、１つの欄が上に、残りの１つの欄が下に並んで配置されていることを特徴とする。
【００１０】
なお、本明細書で、商品の産地とは、商品が農産物であれば、その農産物が栽培された場所であり、商品が水産物であれば、漁港或いはその得られた水産物の水域（海域を含む）をいう。又、商品が工業生産物（農産加工物、水産加工物を含む）であれば、その商品を生産する工場の場所をいう。又、産地（生産地を含む）は、その産地を含む広域な地域を含んでいても良い。例えば、産地を含む市、町、村或いは、県を含んでいてもよい。
【００１１】
請求項４の考案は、請求項２において、前記商品関連事項記載領域には、該商品の産地又は商品の生産場所を記載する第１欄、該商品の生産者又は、市場を記載する第２欄、前記商品関連事項記載領域には、該商品の商品名を記載する第３欄を有し、第１欄、第２欄、及び第３欄のうち、いずれか１つの欄を真ん中にして、他の２つの欄のうち、１つの欄が左に、残りの１つの欄が右に並んで配置されていることを特徴とする。
【００１２】
請求項５の考案は、請求項３又は請求項４において、前記第２欄には、生産者、又は市場に関するインターネットのホームページのＵＲＬが記載されている事を特徴とする。
請求項６の考案は、請求項２乃至請求項５のうちいずれか１項において、前記商品関連事項記載領域には、消費期限及び賞味期限のうちいずれか少なくともいずれか１つが記載されていることを特徴とする。なお、いずれか１つが記載されているとは、印刷段階で、消費期限の項目及び賞味期限の項目の両方の表記がされているが、後に取消線、又はシール等で隠されて、残った方の期限が明示されている場合を含む趣旨である。又、請求項６では、消費期限及び賞味期限の両方の項目が記載されている場合も含む趣旨であるが、この場合は、例えば印刷等により、両期限が表面に記載された状態を含む趣旨である。
【００１３】
請求項７の考案は、請求項１又は請求項２において、前記直行便の旨が記載されている領域を基準として上側の領域、或いは下側の領域、或いは、向かって左側の領域、或いは向かって右側の領域には、前記商品に関連した画像を載せた画像掲載領域が設けられていることを特徴とする。ここで、画像は、写真であってもよく、漫画であってもよく、イラストであってもよい。
【００１４】
請求項８の考案は、請求項７において、前記画像掲載領域には、前記商品と関連する産地、取得された場所、又は市場の画像が掲載されていることを特徴とする。
請求項９の考案は、請求項７において、前記画像掲載領域には、前記商品の画像が掲載されていることを特徴とする。
【００１５】
請求項１０の考案は、請求項７において、前記画像掲載領域には、前記商品の生産者又は商品の送り主の画像が掲載されていることを特徴とする。
請求項１１の考案は、請求項１０において、前記画像掲載領域には、生産者又は商品の送り主の感謝の言葉又は礼文が掲載されていることを特徴とする。
【００１６】
請求項１２の考案は、請求項１又は請求項２において、前記直行便の旨が記載されている領域を基準として上側の領域、或いは下側の領域、或いは、向かって左側の領域、或いは向かって右側の領域には、前記商品の生産地に関連した観光名所、風俗、方言、又は習慣を載せた生産地関連事項掲載領域が設けられていることを特徴とする。
【００１７】
請求項１３の考案は、請求項１又は請求項２において、前記直行便の旨が記載されている領域を基準として上側の領域、或いは下側の領域、或いは、左側の領域、或いは右側の領域には、前記商品の生産者に関連したイベント情報、新製品紹介情報、又は生産者広告を載せた送り主関連事項掲載領域が設けられていることを特徴とする。
【００１８】
請求項１４の考案は、請求項１乃至請求項１３のうちいずれか１項において、前記商品包装容器の壁部が、底部を構成する底壁部と、該底壁部から立設された単数又は複数の側壁部を含み、前記側壁部の外表面に、直行便の旨が記載されている領域を有することを特徴とする。
【００１９】
請求項１５の考案は、請求項１乃至請求項１３のうちいずれか１項において、前記商品包装容器の壁部が、底部を構成する底壁部と、該底壁部から立設された単数又は複数の側壁部と、該側壁部に連結された天井壁部を含み、前記天井壁部の外表面に、直行便の旨が記載されている領域を有することを特徴とする。
【００２０】
請求項１６の考案は、請求項１乃至請求項１３のうちいずれか１項において、前記商品包装容器が、一対の側壁部の下部及び両側部を互いに連結した袋状に形成され、前記側壁部の内、少なくともいずれか一方の側壁部の外表面に、直行便の旨が記載されている領域を有することを特徴とする。
【考案の効果】
【００２１】
請求項１の商品包装容器によれば、商品包装容器に直行便の旨が記載されているため、この商品包装容器に収納された商品が生産者又は市場からの直行便で提供されていることを容易に知ることができる。又、直行便の旨は印刷されるため、商品ラベルと異なり商品に直接添付する工数が省略できる。
【００２２】
請求項２の商品包装容器によれば、商品関連事項記載領域を消費者が見ることにより、直行便で送られてきた商品に関連する事項を容易に知ることができる。
請求項３及び請求項４の商品包装容器によれば、商品包装容器には、該商品の産地又は取得した場所を記載する第１欄と、該商品の生産者又は、市場を記載する第２欄と、該商品の商品名を記載する第３欄が設けられている。このことから、商品名は、勿論のこと、商品の産地又は取得された場所、並びに、生産者又は市場を消費者は容易に知ることができる。
【００２３】
請求項５の商品包装容器によれば、生産者、又は市場に関するインターネットのホームページのＵＲＬが記載されているため、消費者は、このＵＲＬを仕様することにより、生産者、又は市場に関するインターネットのホームページに容易にアクセスすることが可能となる。
【００２４】
請求項６の商品包装容器によれば、商品関連事項記載領域には、消費期限及び賞味期限の少なくとも１つが記載されていることにより、消費者は、直行して届けられた農産物、水産物等の食品の賞味期限、又は消費期限を知ることができる。又、この商品包装容器を消費期限及び賞味期限の項目（「消費期限及び賞味期限の題目」）が両方記載されている場合、使用者（生産者又は販売者）はこの題目のいずれかを消して、残った方に期限の月日を入れるようにして使用することができる。
【００２５】
請求項７の商品包装容器によれば、商品に関連した画像を載せた画像掲載領域が設けられていることにより、消費者はその商品の関連した項目を画像により知ることができる。
請求項８の商品包装容器によれば、その商品の関連した産地、取得された場所、又は市場を画像により知ることができる。
【００２６】
請求項９の商品包装容器によれば、例えば、包装で商品中身が直接分からない場合にも、消費者は商品の画像を見ることにより、商品の概要を知ることができる。
請求項１０の商品包装容器によれば、商品の生産者又は商品の送り主の画像が掲載されていることにより、商品の生産者又は商品の送り主を知ることができる。
【００２７】
請求項１１の商品包装容器によれば、生産者又は商品の送り主の感謝の言葉又は礼文が掲載されているこにより、生産者又は商品の送り主の感謝の趣旨を消費者に伝えることができる。
【００２８】
請求項１２の商品包装容器によれば、生産地関連事項掲載領域の掲載内容により、商品の生産地に関連した観光名所、風俗、方言、又は習慣を消費者に伝えることができ、又、消費者は、そのことを知ることができる。
【００２９】
請求項１３の商品包装容器によれば、送り主関連事項掲載領域を有することにより、商品の生産者に関連したイベント情報、新製品紹介情報、又は生産者広告を消費者に伝えることができる。
【００３０】
請求項１４では、前記商品包装容器の壁部が、底部を構成する底壁部と、該底壁部から立設された単数又は複数の側壁部を含み、前記側壁部の外表面に、直行便の旨が記載されている領域を有する商品包装容器において、請求項１乃至請求項１３のいずれか１項に記載の作用効果を容易に実現できる。
【００３１】
請求項１５では、商品包装容器の壁部が、底部を構成する底壁部と、該底壁部から立設された単数又は複数の側壁部と、該側壁部の上部に連結された天井壁部を含み、前記天井壁部の外表面に、直行便の旨が記載されている領域を有する商品包装容器において、請求項１乃至請求項１３のいずれか１項に記載の作用効果を容易に実現できる。
【００３２】
請求項１６では、商品包装容器が、一対の側壁部の下部及び両側部を互いに連結した袋状に形成され、前記側壁部の内、少なくともいずれか一方の側壁部の外表面に、直行便の旨が記載されている領域を有する商品包装容器において、請求項１乃至請求項１３のいずれか１項に記載の作用効果を容易に実現できる。
【考案を実施するための最良の形態】
【００３３】
（第１実施形態）
本考案を、具体化した商品包装容器の一実施形態を図１（ａ）を参照して説明する。本実施形態の商品包装容器１００は、段ボール等の紙製であって、図１（ａ）に示すように、立方体形状に形成されている。なお、商品包装容器１００は立方体形状に限定されるものではなく、直方体状でもよい。又、商品包装容器１００の組立の構成は、本考案とは関係ないため、形状のみの説明とし、その組立方法は公知であるため、説明を省略する。商品包装容器１００は、底部を構成する底壁部１１０と、該底壁部１１０から立設された４つの側壁部１１２と、該側壁部１１２の上部に連結された天井壁部１１４を有する。これらの壁部により商品を収納する収納空間が形成される。前記底壁部１１０と、４つの側壁部１１２及び天井壁部１１４は壁部に相当する。１つの側壁部１１２の外表面において、上下方向及び左右方向のいずれの方向における中央部には、図１（ａ）に示すように、商品項目掲載領域１２０が設けられている。なお、商品項目掲載領域１２０は、１つの側壁部１１２の外表面に対して設けているが、２つ、３つ又は４（すなわち、側壁部１１２の全部）の側壁部に対してそれぞれ商品項目掲載領域１２０を設けてもよい。
【００３４】
図１（ａ）に示すように、商品項目掲載領域１２０の大きさ、例えば、縦×横の大きさが、例えば、１２×８ｃｍ程度で良いが、この数値に限定されるものではなく、この大きさ以上であってもよく、又、反対にこの大きさよりも小さい面積であってもよい。又、商品項目掲載領域１２０の配置位置は、側壁部１１２の中央部に限定されるものではなく、中央部を囲む八方の領域のいずれか１つの領域に設けられていればよい。
【００３５】
商品項目掲載領域１２０の上下方向の中央には、図２（ａ）に示すように市場から直行して送られてきた旨を表示する領域Ａが設けられている。該領域Ａには、本実施形態では、横書き２段で「早朝市場新鮮果物直行便」と印刷されている。なお、２段書きに限定されるものではなく、文字の大きさ、及び領域Ａの面積に応じて、１段、或いは３段以上であってもよい。又、領域Ａに記載される文字は縦書きとしてもよい。
【００３６】
商品項目掲載領域１２０の上下方向の下部には、すなわち、領域Ａの下側の領域には商品関連事項記載領域Ｃが設けられている。商品関連事項記載領域Ｃには、「産地名」、「市場名」、及び「商品名」を示すための３つの欄が上下に並ぶように組み合わされて設けられている。前記「産地名」を表わす欄２０は第１欄に相当する。又、「市場名」を表わす欄２２は第２欄に相当する。「商品名」を表わす欄２４は、第３欄に相当する。なお、欄２０，２２，２４の上下に並ぶ順序は、本実施形態の順序に限定されるものではなく、欄２２，２４，２０の順であったり、欄２４，２０，２２の順であったり、又、これら以外の順にしてもよく、その順序の組合せは限定されるものではない。このようにして、欄２０，２２，２４のうちいずれか１つの欄を真ん中にして、他の２つの欄のうち、１つの欄が上に、残りの１つの欄が下に並んで配置するようにしてよい（請求項３）。
【００３７】
商品項目掲載領域１２０の上下方向の中央部、すなわち、領域Ａの上側の領域には、画像掲載領域Ｂが設けられている。本実施形態では、画像掲載領域Ｂは、商品の画像掲載領域とされている。そして、商品が果物であるため、画像掲載領域Ｂには、各種の果物の写真が印刷されている。本実施形態では写真が画像に相当するが、画像は写真に限定されるものではなく、漫画、イラスト等であってもよい。
【００３８】
又、画像掲載領域Ｂの上部に隣接して、領域２８が設けられている。領域２８は、本実施形態では、販売者の登録商標の掲載領域となる。さらに、画像掲載領域Ｂの上部，中央部及び領域２８の周部を囲むように同じく、登録商標を形成する領域３０が設けられている。なお、領域２８、領域３０への印刷は、登録商標の代わりに、販売店名又は販売者名に代えてもよい。
【００３９】
上記の欄２０，２２，２４には、図示はしていないが、商品包装容器１００に収納される商品の産地名、該商品を取り扱った市場の名称、商品としての果物の名前がそれぞれ印刷により、記載される。
【００４０】
又、欄２４の一部領域は、「消費期限」又は「賞味期限」の記載される領域４０となっており、図示はしないが消費期限又は賞味期限が記載されている。なお、本実施形態を含め、図４（ｂ）以外の図２（ａ）〜図４（ａ）までは説明の便宜上、両方を「消費期限」又は「賞味期限」の題目を記載しているが、実使用上は、いずれか一方のみを食品の性質に応じて、一方の期限のみを使用するものとする。なお、「消費期限」は、劣化が早く、傷みやすい食品を安全に食べられる期間を示すものである（おおむね５日以内）。又、賞味期限は、比較的傷みにくい食品に使用されるものである。なお、予め、「消費期限」及び「賞味期限」をともに印刷しておき、商品に応じて、使用しない方の期限を、後に見えないようにシールするか、取消線を入れる等して、残りの期限を明示するようにしてもよい。
【００４１】
さて、上記のように構成された商品包装容器１００の効果を以下に説明する。
（１）  本実施形態の商品包装容器１００の１つの側壁部１１２の外表面の中央部に、商品項目掲載領域１２０が設けられ、果物（商品）の産地を記載する欄２０（第１欄）と、該商品の市場を記載する欄２２（第２欄）と、該商品の商品名を記載する欄２４（第３欄）が設けられ、さらに、領域Ａに該商品が市場から直行便で送られた旨の記載がされている。
【００４２】
この結果、側壁部１１２の外表面の中央部に設けられた商品項目掲載領域１２０に、該商品（果物）が市場からの直行便で送られた旨の記載がされていることにより、消費者は該商品が市場からの直行便で提供されていることを容易に知ることができる。又、本実施形態の側壁部１１２の外表面の中央部に設けられた商品項目掲載領域１２０には、該商品（果物）の産地を記載する欄２０（第１欄）と、該商品の市場を記載する欄２２（第２欄）と、該商品の商品名を記載する２４（第３欄）が設けられていることから、商品名は、勿論のこと、商品が取り扱われた市場及び産地を容易に知ることができる。
【００４３】
（２）  本実施形態の側壁部１１２の外表面の中央部に設けられた商品項目掲載領域１２０には、欄２０（第１欄）、欄２２（第２欄）、及び欄２４（第３欄）が組み合わされて配置されている。この結果、本実施形態の側壁部１１２の外表面の中央部に設けられた商品項目掲載領域１２０によれば、この欄２０（第１欄）、欄２２（第２欄）、及び欄２４（第３欄）の組合せにより、欄２０（第１欄）、欄２２（第２欄）、及び欄２４（第３欄）の記載の内容を消費者に適切に知らせることができる。
【００４４】
（３）  本実施形態の側壁部１１２の外表面の中央部に設けられた商品項目掲載領域１２０には、商品の画像掲載領域Ｂが設けられている。この結果、本実施形態の商品包装容器１００によれば、例えば、包装で商品中身が直接分からない場合にも、消費者は商品項目掲載領域１２０を見ることにより、商品の概要を知ることができる。
【００４５】
（第２実施形態）
次に、第２実施形態を図２（ｂ）を参照して説明する。なお、第２実施形態を含め、以下に説明する実施形態では、第１実施形態の構成と同一又は相当する構成については同一符号を付してその詳細な説明を省略し、異なる構成を中心に説明する。なお、第２実施形から第７実施形態では、商品包装容器１００は同一構成のため、図１（ａ）を参照されたい。第２実施形態では、側壁部１１２の外表面の中央部に設けられた商品項目掲載領域１２０の構成が一部異なっている。
【００４６】
第２実施形態は、領域Ａに印刷された語句が、「早朝市場からの直行便」に変更され、画像掲載領域Ｂに掲載された画像が、この側壁部１１２の外表面の中央部に設けられた商品項目掲載領域１２０で示される商品としての水産物（海産物を含む、以下同じ）を取り扱う市場の様子を写した画像となっているところが、第１実施形態と特に異なっている。それに合わせて、図示はしないが、欄２０には、その水産物がとれた漁港又は海域の名が印刷され、欄２２にはこの水産物を取り扱った市場の名前が印刷され、欄２４には水産物の名前が印刷されている。
【００４７】
さて、上記のように構成された第２実施形態の商品包装容器１００の効果は、第１実施形態の（１）、（２）と同様の効果を奏する他、下記の効果がある。
（１）  本実施形態の商品包装容器１００において、側壁部１１２の外表面の中央部に設けられた商品項目掲載領域１２０には、欄２２に印刷された市場と関連する市場の様子を表わす画像を画像掲載領域Ｂに載せた。この結果、消費者に、この商品包装容器１００に収納された商品の市場の様子を知らせることができる。
【００４８】
（第３実施形態）
次に、第３実施形態を図３（ａ）を参照して説明する。第３実施形態では、側壁部１１２の外表面の中央部に設けられた商品項目掲載領域１２０の構成が一部異なっている。第３実施形態の側壁部１１２の外表面の中央部に設けられた商品項目掲載領域１２０では、第１実施形態の構成中、欄２２の代わりに、欄２０と欄２４の間に欄２３が併設（組み合わ）されて、該欄２３が、生産者名が印刷されている。なお、図３（ａ）では、生産者名の図示は省略されている。そして、領域Ａには、「生産者からの直行便」に変更されている。生産者を表わす欄２３は、第２欄に相当する。又、画像掲載領域Ｂには、欄２４に記載の商品名に関連する果物が写真等の画像で印刷されている。
【００４９】
上記のように構成された第３実施形態の商品包装容器１００は、第１実施形態の上記（２）乃至（４）と同様の効果を奏する他、下記の効果がある。
（１）  本実施形態の商品包装容器１００の１つの側壁部１１２の外表面に、商品の産地を記載する欄２０（第１欄）と、該商品の生産者を記載する欄２３（第２欄）と、該商品の商品名を記載する欄２４（第３欄）が設けられ、さらに、領域Ａに該商品が生産者から直行便で送られた旨の記載がされている。この結果、商品包装容器１００に、該商品が生産者から直行便で送られた旨の記載がされていることにより、消費者は商品包装容器１００に収納された商品が生産者から直行便で提供されていることを容易に知ることができる。又、本実施形態の商品包装容器１００には、商品包装容器１００に収納された商品の産地を記載する欄２０（第１欄）と、該商品の生産者を記載する欄２３（第２欄）と、該商品の商品名を記載する２４（第３欄）が設けられていることから、商品名は、勿論のこと、生産地、及び生産者を容易に知ることができる。
【００５０】
（第４実施形態）
次に、第４実施形態を図３（ｂ）を参照して説明する。第４実施形態では、側壁部１１２の外表面の中央部に設けられた商品項目掲載領域１２０の構成が一部異なっている。第４実施形態の商品包装容器１００では、第１実施形態の商品項目掲載領域１２０の構成中、欄２０の代わりに欄２１が設けられ、欄２２、及び欄２４と併設（組み合わ）されている。該欄２１には、商品（水産物）を取り扱った漁港名が印刷されている。なお、図３（ｂ）では、漁港名の図示は省略されている。そして、領域Ａの表示は、「漁港からの直行便」に変更されている。漁港を表わす欄２１は、第１欄に相当する。又、画像掲載領域Ｂには、その水産物を取得した海域の画像が印刷されている。
【００５１】
上記のように構成された第４実施形態の商品包装容器１００は、第１実施形態の上記（２）、（４）と同様の効果を奏する他、下記の効果がある。
（１）  本実施形態の商品包装容器１００は、１つの側壁部１１２の外表面に、水産物（商品）を取り扱った漁港名を記載する欄２１（第１欄）と、該商品の市場を記載する欄２２（第２欄）と、該商品の商品名を記載する欄２４（第３欄）が設けられ、さらに、領域Ａに該商品が漁港からの直行便で送られた旨の記載がされている。
【００５２】
この結果、商品包装容器１００の側壁部１１２の外表面の中央部に設けられた商品項目掲載領域１２０に、該水産物（商品）が漁港からの直行便で送られた旨の記載がされていることにより、消費者は該水産物が漁港からの直行便で提供されていることを容易に知ることができる。
【００５３】
又、本実施形態の商品項目掲載領域１２０には、該水産物（商品）を取り扱つた漁港を記載する欄２１（第１欄）と、該水産物を取り扱いした漁港を記載する欄２２（第２欄）と、該水産物（商品名）を記載する２４（第３欄）が設けられていることから、商品名は、勿論のこと、商品が取り扱われた漁港及び市場を容易に知ることができる。
【００５４】
（第５実施形態）
次に、第５実施形態を図３（ｃ）を参照して説明する。第５実施形態では、側壁部１１２の外表面の中央部に設けられた商品項目掲載領域１２０の構成が一部異なっている。第５実施形態の商品包装容器１００では、第１実施形態の構成中、欄２２の代わりに商品の生産者を記載する欄２３が設けられ、欄２０、及び欄２４と併設（組み合わ）されている。該欄２３には、商品（水産加工物）を生産した生産者が印刷されている。なお、図３（ｃ）では、生産者名の図示は省略されている。そして、領域Ａの表示は、「産地からの直行便」に変更されている。生産者を表わす欄２３は、第２欄に相当する。又、画像掲載領域Ｂには、その水産加工物の原料の水産物を取得した海域の画像が印刷されている。
【００５５】
第５実施形態の商品包装容器１００は、第１実施形態の上記（２）、（４）と同様の効果を奏する他、下記の効果がある。
（１）  本実施形態の商品包装容器１００は１つの側壁部１１２の外表面に、加工された水産加工物（商品）の産地を記載する欄２０（第１欄）と、該水産加工物の生産者を記載する欄２３（第２欄）と、該水産加工物の商品名を記載する欄２４（第３欄）が設けられ、さらに、領域Ａに該水産加工物が産地から直行便で送られた旨の記載がされている。
【００５６】
この結果、商品包装容器１００は１つの側壁部１１２の外表面に、該水産加工物（商品）が産地からの直行便で送られた旨の記載がされていることにより、消費者は該水産加工物が産地からの直行便で提供されていることを容易に知ることができる。又、本実施形態の商品項目掲載領域１２０には、加工された水産加工物（商品）の産地を記載する欄２０（第１欄）と、該水産加工物の生産者を記載する欄２３（第２欄）と、該水産加工物の商品名を記載する欄２４（第３欄）が設けられていることから、商品名は、勿論のこと、産地及び生産者を容易に知ることができる。
【００５７】
（第６実施形態）
次に、第６実施形態を図４（ａ）を参照して説明する。第６実施形態では、側壁部１１２の外表面の中央部に設けられた商品項目掲載領域１２０の構成が一部異なっている。
【００５８】
第６実施形態の商品包装容器１００では、第１実施形態の構成中、欄２２の代わりに商品の生産者を記載する欄２３が設けられ、欄２０、及び欄２４と併設（組み合わ）されている。該欄２３には、商品（野菜）を生産した生産者が印刷されている。なお、図４（ａ）では、生産者名の図示は省略されている。そして、領域Ａの表示は、「生産者からの直行便」に変更されている。生産者を表わす欄２３は、第２欄に相当する。又、画像掲載領域Ｂには、その商品（野菜）を取得した栽培地の画像が印刷されている。なお、生産地は、その狭い地域だけではなく、その地域を含む、広域の行政単位を含むようにしてもよい。例えば、その村、町、を含む県を産地としてもよい。この場合の画像は、その県、市、町、村の有名な、或いは著名な場所、特徴的な場所の画像であってもよい。
【００５９】
第６実施形態の商品包装容器１００は、第１実施形態の上記（２）、（４）と同様の効果を奏する他、下記の効果がある。
（１）  本実施形態の商品包装容器１００１つの側壁部１１２の外表面に、商品（野菜）の産地を記載する欄２０（第１欄）と、該商品（野菜）の生産者を記載する欄２３（第２欄）と、該商品名を記載する欄２４（第３欄）が設けられ、さらに、領域Ａに該商品が生産者から直行便で送られた旨の記載がされている。
【００６０】
この結果、商品包装容器１００は１つの側壁部１１２の外表面に、該商品が生産者からの直行便で送られた旨の記載がされていることにより、消費者は該商品が生産者からの直行便で提供されていることを容易に知ることができる。又、本実施形態の商品包装容器１００には、商品の産地を記載する欄２０（第１欄）と、該商品の生産者を記載する欄２３（第２欄）と、商品名を記載する欄２４（第３欄）が設けられていることから、商品名は、勿論のこと、産地及び生産者を容易に知ることができる。
【００６１】
（第７実施形態）
次に、第７実施形態を図４（ｂ）を参照して説明する。第７実施形態では、側壁部１１２の外表面の中央部に設けられた商品項目掲載領域１２０の構成が一部異なっている。
【００６２】
第７実施形態の商品包装容器１００では、第１実施形態の構成中、欄２０の及び欄２２の代わりに、生産工場（本実施形態では生産工房）を欄２７と、生産者を記載する欄２３が設けられ、欄２４と併設（組み合わ）されている。領域４０は省略されている。該欄２７には生産工場名が、該欄２３には商品を生産した生産者が印刷されている。なお、図４（ｂ）では、欄２７，２３の生産工場名、生産者名の図示は省略されている。そして、領域Ａの表示は、「生産工房からの直行便」に変更されている。
【００６３】
欄２７は、第１欄に相当し、生産者を表わす欄２３は、第２欄に相当する。又、画像掲載領域Ｂには、その商品の画像が印刷されている。
第７実施形態の商品包装容器１００は、第１実施形態の上記（２）、（４）と同様の効果を奏する他、下記の効果がある。
【００６４】
（１）  本実施形態の商品包装容器１００は、表面に、商品を生産した生産工房地を記載する欄２７（第１欄）と、該商品の生産者を記載する欄２３（第２欄）と、該商品名を記載する欄２４（第３欄）が設けられ、さらに、領域Ａに該商品が生産工房から直行便で送られた旨の記載がされている。この結果、商品包装容器１００は１つの側壁部１１２の外表面に、該商品が生産工房からの直行便で送られた旨の記載がされていることにより、消費者は該商品が生産工房からの直行便で提供されていることを容易に知ることができる。又、本実施形態の商品包装容器１００には、商品を生産した生産工房を記載する欄２７（第１欄）と、該商品の生産者を記載する欄２３（第２欄）と、商品名を記載する欄２４（第３欄）が設けられていることから、商品名は、勿論のこと、生産工房及び生産者を容易に知ることができる。
【００６５】
（第８実施形態）
次に、第８実施形態を図１（ｂ）を参照して説明する。図１（ｂ）に示すように、商品包装容器２００は、段ボール等の紙により円柱状に形成されている。商品包装容器２００の組立の構成は、本考案とは関係ないため、形状のみの説明とし、その組立方法は公知であるため、説明を省略する。
【００６６】
商品包装容器２００は、底部を構成する底壁部２１０と、該底壁部２１０から立設された筒状の側壁部２１２と、該側壁部２１２の上部に連結された円板状の天井壁部２１４を有する。前記底壁部２１０と、１つの側壁部２１２及び天井壁部２１４は壁部に相当する。１つの側壁部２１２の外表面において、上下方向における中央部には、図１（ｂ）に示すように、商品項目掲載領域１２０が設けられている。第８実施形態の商品包装容器２００は、上記のように構成されているため、商品包装容器２００は、商品包装容器２００内に収納された商品が、直行便で送られてきたことを消費者に伝えることができる。  なお、本考案の実施形態は以下のように変更してもよい。
【００６７】
○  図２（ａ）、（ｂ）、図３（ａ）〜（ｃ）、図４（ａ）、（ｂ）では、直行便の旨が記載（表示）されている領域Ａを基準として、下側の領域に商品関連事項記載領域Ｃを設けた。ここで図２（ａ）、（ｂ）、図３（ａ）〜（ｃ）、図４（ａ）、（ｂ）は、前記各領域を簡便化して図示すると、図５（ｅ）の場合に相当する。なお、前記各実施形態の各構成に相当する構成については、同一符号を付して、詳細な説明を省略する。
【００６８】
これ以外の場合を図５（ａ）〜（ｄ）、（ｆ）、図６（ａ）〜（ｆ）、図７（ａ）〜（ｆ）に例示する。なお、図５（ａ）〜（ｆ）において、商品関連事項記載領域Ｃ内に記載される文字は、横書きを想定したものであり、それに対して、図６（ａ）〜（ｆ）、図７（ａ）〜（ｆ）では、商品関連事項記載領域Ｃ内に記載される文字は、縦書きを想定している。
【００６９】
図５（ａ）、（ｂ）及び図７（ａ）、（ｂ）は、直行便の旨が記載されている領域Ａが商品包装容器１００の側壁部１１２の外表面において、中央部よりも下部に設けられたものである。そして、図５（ａ）、（ｂ）及び図７（ａ）、（ｂ）では、領域Ａが側壁部１１２，２１２の外表面の下部側に設けられ、画像掲載領域Ｂ、商品関連事項記載領域Ｃが上側の領域に設けられたものである（請求項２、請求項７）。ただし、図５（ａ）では、上からＢ，Ｃ，Ａの順、図５（ｂ）では、Ｃ，Ｂ，Ａの順に配置されている。
【００７０】
図７（ａ）、（ｂ）では、上側の領域では、Ｂ，Ｃのそれぞれの領域が向かって左右、又は右左に併設されている（請求項２、請求項７）。図５（ｃ）、（ｄ）及び図７（ｃ）、（ｄ）は、領域Ａが側壁部１１２の外表面において、中央部よりも上部に設けられたものである。図５（ｃ）では、上から順に、Ａ，Ｂ，Ｃ、図５（ｄ）では、Ａ，Ｃ，Ｂの順に配置されている（請求項２、請求項７）。
【００７１】
図７（ｃ）では、領域Ａの下側の領域には、Ｂ，Ｃのそれぞれの領域が向かって右左、図７（ｄ）では、領域Ａの下側の領域には、Ｂ，Ｃのそれぞれの領域が左右に併設されている（請求項２、請求項７）。
【００７２】
図５（ｅ）、（ｆ）及び図７（ｅ）、（ｆ）は領域Ａが商品包装容器１００の側壁部１１２の外表面において、中央部に設けられたものである。そして、図５（ｅ）、図７（ｅ）では、上側の領域に画像掲載領域Ｂが、下側の領域に商品関連事項記載領域Ｃが配置される（請求項２、請求項７）。図５（ｆ）、図７（ｆ）では、上側の領域に商品関連事項記載領域Ｃが、下側の領域に画像掲載領域Ｂが配置される（請求項２、請求項７）。
【００７３】
又、図６（ａ）、（ｂ）は、領域Ａが商品包装容器１００の側壁部１１２の外表面において、左部に領域Ａが設けられたものである。図６（ｃ）、（ｄ）は領域Ａが商品包装容器１００の側壁部１１２の外表面において、左右方向の中央部に領域Ａが設けられたものである。図６（ｅ）、（ｆ）は領域Ａが商品包装容器１００の側壁部１１２の外表面において、右部に領域Ａが設けられたものである。特に、図６（ａ）〜（ｆ）の場合は、領域Ａの直行便も縦書きであり、領域Ａと商品関連事項記載領域Ｃとが縦書きで揃っているため好適である。
【００７４】
図６（ａ）、（ｂ）は、領域Ａを基準として、向かって右側の領域に、画像掲載領域Ｂ、商品関連事項記載領域Ｃが向かって左側からＣ，Ｂの順、又はＢ，Ｃの順に設けられた場合である（請求項２、請求項７）。図６（ｃ）は、領域Ａを基準として、右側の領域に、商品関連事項記載領域Ｃが設けられ、向かって左側の領域に画像掲載領域Ｂが設けられた場合である（請求項２、請求項７）。図６（ｄ）は、領域Ａを基準として、向かって右側の領域に、画像掲載領域Ｂが設けられ、左側の領域に商品関連事項記載領域Ｃが設けられた場合である（請求項２、請求項７）。又、図６（ｅ）、（ｆ）は、領域Ａを基準として、向かって左側の領域に、画像掲載領域Ｂ、商品関連事項記載領域Ｃが、左側からＢ，Ｃ、又は、Ｃ，Ｂの順に設けられた場合である（請求項２、請求項７）。
【００７５】
又、図５（ａ）〜（ｆ）の商品関連事項記載領域Ｃにおいて、第１欄、第２欄、第３欄にそれぞれ相当する欄は、図に示す通りでなくてもよく、いずれか１つの欄を真ん中にして、他の２つの欄のうち、１つの欄が上に、残りの１つの欄が下に並んで配置するようにしてよい（請求項３）。
【００７６】
又、図６（ａ）〜（ｆ）及び図７（ａ）〜（ｆ）に示すように、第１欄、第２欄、第３欄にそれぞれ相当する欄は、図に示す通りでなくてもよく、いずれか１つの欄を真ん中にして、他の２つの欄のうち、１つの欄が左に、残りの１つの欄が右に並んで配置されているようにすればよい（請求項４）。
【００７７】
○  図８（ａ）、（ｂ）に示すように、商品関連事項記載領域Ｃにおいて、市場、又は生産者の記載の第２欄（図の例では、欄２３）に、インターネットのホームページのＵＲＬを記載してもよい。
【００７８】
○  図９（ａ）、（ｂ）、（ｃ）に示すように画像掲載領域Ｂには、商品の生産者又は商品の送り主の画像Ｄが掲載されていてもよい。
○  図１０に示すように商品の生産者又は商品の送り主の画像Ｄには、吹き出しＥを付設して、この吹き出しＥに感謝の言葉又は礼文を記載してもよい。感謝の言葉又は礼文としては、例えば、「お求め下さり、ありがとうございます。」、「○○市場を御利用いただき、心よりお礼申しあげます。」、「○○産地の御愛顧を賜り、ありがとうございます。」等の文が記載されている。
【００７９】
○  図５〜図７の各（ａ）〜（ｆ）において、画像掲載領域Ｂに代えて、その領域に生産地関連事項掲載領域を設けてもよい（請求項１２）。すなわち、この場合、生産地関連事項掲載領域（図５〜図７のＢで示す領域）には、商品の生産地に関連した観光名所、風俗、方言、又は習慣を載せる。例えば、商品の生産地が岐阜市であれば、観光名所として「長良川の鵜飼」の紹介（図７（ｅ）参照）、岐阜の風俗、岐阜の方言、又は習慣を載せるようにする。この生産地関連事項掲載領域には生産地に応じたものを記載すればよい。
【００８０】
○  図５〜図７の各（ａ）〜（ｆ）において、画像掲載領域Ｂの配置された領域に代えて、その領域に送り主関連事項掲載領域を設けてもよい（請求項１３）。この場合、送り主関連事項掲載領域には、商品の生産者に関連したイベント情報（例えば、季節毎、或いは月毎の行事）、新製品紹介情報、又は生産者広告を載せるものとする。
【００８１】
○  市場の代わりに、生産者名を欄２２（第２欄）に記載してもよい。
○  なお、第１実施形態から第７実施形態では、欄２０，２１，２２，２３，２４，２７は適宜組合せたが、各欄をバラバラに配置してもよいことは勿論のことである。
【００８２】
○  領域４０は欄２４に設けたが、欄２４以外の領域に設けてもよいことは勿論のことである。
○  第１〜７実施形態では、側壁部１１２の中央部に、Ａ，Ｂ，Ｃの領域を設けたが、中央部に限定されるものではなく、中央部を中心に八方の位置、例えば、上下部のいずれかの領域、或いは、左右のいずれかの領域に印刷されていてもよい。
【００８３】
○  前記各実施形態では、商品包装容器１００、２００は天井壁部１１４を有するようにしたが、例えば、図１１（ａ）に示すように天井壁部１１４が省略された袋状をなすトートバック型の商品包装容器にしてもよい。この場合、商品包装容器１００は、例えば、図１１のように底壁部１１０を有して、底壁部１１０の周縁に立設した４つの側壁部１１２が設けられ、相対する一対の側壁部１１２の各上部にひも状の把手部１３０が設けられている。
【００８４】
なお、袋状をなすトートバック型の商品包装容器１００としては、図１１（ｂ）に示すように相対する一対の側壁部１１２の下部、及び左右両側部を互いに連結して上部を開放して一対の側壁部１１２の上部に、ひも状の把手部１３０を設けるようにしてもよい。そして、図１１（ａ）、（ｂ）に示すように、側壁部１１２の外表面の中央部に設けられた商品項目掲載領域１２０が設けられる。なお、商品項目掲載領域１２０を設けるのは、一対の側壁部１１２の外表面の両方に設けても良く、一方のみに設けてもよい。  ○  図１２（ａ）、（ｂ）に示すように、天井壁部１１４、２１４を有する商品包装容器１００、２００において、天井壁部１１４、２１４に商品項目掲載領域１２０を印刷して設けるようにしてもよい。この場合、商品項目掲載領域１２０の位置は、中央部、或いは、中央部を中心にして八方の方向に位置する領域のいずれか１つの領域（２点鎖線で区分された各領域）に設けるようにしてもよい。なお、図１２（ａ）、（ｂ）においては、説明の便宜上、商品項目掲載領域１２０の詳細は省略した。
【００８５】
○  商品包装容器の外形形状は、直方体、立方体、円柱形状に限定されるものではなく、複数の壁部を備えており、商品の収納空間を形成するものであれば、限定されるものではない。
【図面の簡単な説明】
【００８６】
【図１】（ａ）、（ｂ）は第１実施形態及び他の実施形態の商品包装容器の概略斜視図。
【図２】（ａ）、（ｂ）は第１実施形態及び第２実施形態の側壁部の外表面に設けられた商品項目掲載領域の正面図。
【図３】（ａ）、（ｂ）、（ｃ）は第３実施形態乃至第５実施形態の側壁部の外表面に設けられた商品項目掲載領域の正面図。
【図４】（ａ）、（ｂ）は第６実施形態及び第７実施形態の側壁部の外表面に設けられた商品項目掲載領域の正面図。
【図５】（ａ）〜（ｆ）は、領域Ａ〜Ｃの配置例の側壁部の外表面に設けられた商品項目掲載領域の簡略説明図。
【図６】（ａ）〜（ｆ）は、領域Ａ〜Ｃの配置例の側壁部の外表面に設けられた商品項目掲載領域の簡略説明図。
【図７】（ａ）〜（ｆ）は、領域Ａ〜Ｃの配置例の側壁部の外表面に設けられた商品項目掲載領域の簡略説明図。
【図８】（ａ）、（ｂ）は、領域Ｃの説明図。
【図９】（ａ）〜（ｃ）は、他の実施形態の側壁部の外表面に設けられた商品項目掲載領域の正面図。
【図１０】他の実施形態の側壁部の外表面に設けられた商品項目掲載領域の正面図。
【図１１】（ａ）、（ｂ）はトートバック型の商品包装容器の実施形態の斜視図。
【図１２】（ａ）、（ｂ）は他の実施形態の斜視図。
【符号の説明】
【００８７】
１８…表示領域、２０…欄（第１欄）、２１…欄（第１欄）、
２２…欄（第２欄）、２３…欄（第２欄）、２４…欄（第３欄）、２７…欄（第１欄）、
１００，２００…商品包装容器、１１２，２１２…側壁部（壁部）、
１１４，２１４…天井壁部、１２０…商品項目掲載領域、
Ａ…領域、Ｂ…画像掲載領域、Ｃ…商品関連事項記載領域。
【図１】
0003145546.tif 000003
【図２】
0003145546.tif 000004
【図３】
0003145546.tif 000005
【図４】
0003145546.tif 000006
【図５】
0003145546.tif 000007
【図６】
0003145546.tif 000008
【図７】
0003145546.tif 000009
【図８】
0003145546.tif 000010
【図９】
0003145546.tif 000011
【図１０】
0003145546.tif 000012
【図１１】
0003145546.tif 000013
【図１２】
0003145546.tif 000014